(57)【要約】      （修正有）【課題】画像読み取り装置により読み込まれた画像に対して、原稿１枚毎にカラー原稿とモノクロ原稿を特定し、それぞれに適した処理を用いることで、視認性の良い画像を得る。【解決手段】複数色からなる多色カラー原稿についてカラー画像形成処理を行うカラー処理部７７と、一つの色からなる単色カラー原稿についてモノクロ画像形成処理を行うカラー原稿用モノクロ処理部７４と、モノクロ原稿についてカラー原稿用モノクロ処理部７４によるモノクロ画像形成処理とは異なるモノクロ画像形成処理を行うモノクロ原稿用処理部７３と、カラー処理部７７とカラー原稿用モノクロ処理部７４とモノクロ原稿用処理部７３とを原稿ごとに使い分けることができるＣＰＵ７５とを備える。【選択図】図１３
2008193680.tif 000002
【特許請求の範囲】
【請求項１】
複数色からなる多色カラー原稿についてカラー画像形成処理を行うカラー処理部と、
一つの色からなる単色カラー原稿についてモノクロ画像形成処理を行う第１モノクロ処理部と、
モノクロ原稿について第１モノクロ処理部によるモノクロ画像形成処理とは異なるモノクロ画像形成処理を行う第２モノクロ処理部と、
前記カラー処理部と前記第１モノクロ処理部と前記第２モノクロ処理部とを原稿ごとに使い分けることができる選択部と、
を備えてなる画像処理装置。
【請求項２】
請求項１に記載の画像処理装置において、
前記選択部は、読み取られて取得された原稿ごとに、該原稿が多色カラー原稿であるのか、単色カラー原稿であるのか、モノクロ原稿であるのかを判定し、該判定結果に基づいて、前記カラー処理部と前記第１モノクロ処理部と前記第２モノクロ処理部の出力の少なくともいずれか一つを選択することを特徴とする画像処理装置。
【請求項３】
請求項２に記載の画像処理装置において、
前記選択部の判定処理は、入力信号から彩度を表す信号を生成し、彩度信号を所定の閾値と比較し、原稿中に存在するカラー画素の総数を算出し、カラー画素の総数を所定の閾値と比較することでモノクロ原稿であるのか否かを判定し、モノクロ原稿でないと判定した場合に、入力信号から色相を示す信号を生成し、色相信号を用いて原稿中に存在する色相の頻度を算出し、色相頻度を所定の閾値と比較することで、多色カラー原稿であるのか、単色カラー原稿であるのかを判定することを特徴とする画像処理装置。
【請求項４】
請求項３に記載の画像処理装置において、
前記選択部は、単色カラー原稿であるか多色カラー原稿であるかを判定する場合に、色相として、Ｒｅｄ、Ｙｅｌｌｏｗ、Ｇｒｅｅｎ、Ｃｙａｎ、Ｂｌｕｅ、Ｍａｇｅｎｔａ、Ｂｌａｃｋ、Ｗｈｉｔｅの少なくとも８状態に分類することを特徴とする画像処理装置。
【請求項５】
請求項４に記載の画像処理装置において、
単色カラー原稿と多色カラー原稿であるかの判定は、Ｂｌａｃｋ、Ｗｈｉｔｅを除く色相における最大頻度を有する色相について、所定の第１閾値と比較し、またＢｌａｃｋ、Ｗｈｉｔｅを除く全ての色相について、所定の第２閾値と比較することで、単色カラー原稿であるか複数色のカラー原稿であるかを判定することを特徴とする画像処理装置。
【請求項６】
請求項１に記載の画像処理装置において、
ＲＧＢ信号とモノクロ信号を読み取ることができる画像読取部を備え、
前記カラー処理部と前記第１モノクロ処理部とはＲＧＢ信号を用いて処理を行い、前記第２モノクロ処理部はモノクロ信号を用いて処理を行うことを特徴とする画像処理装置。
【請求項７】
請求項２に記載の画像処理装置において、
前記選択部による判定動作を原稿ごとに行わせるモードをカラー原稿混載モードとしてユーザに設定させることができるカラー原稿混載モード設定部を備えることを特徴とする画像処理装置。
【請求項８】
請求項７に記載の画像処理装置において、
前記選択部は、前記カラー原稿混載モード設定部によるカラー原稿混載モードが設定されたときには、前記第１モノクロ処理部と前記第２モノクロ処理部のそれぞれによって形成された画像を記憶部に記憶し、前記記憶部に記憶した画像を表示することを特徴とする画像処理装置。
【請求項９】
請求項８に記載の画像処理装置において、
前記選択部は、前記表示部により表示した前記第１モノクロ処理部と前記第２モノクロ処理部のそれぞれによって形成された画像を、ユーザに選択させることを特徴とする画像処理装置。
【請求項１０】
請求項９に記載の画像処理装置において、
前記選択部は、さらに前記第１モノクロ処理部と前記第２モノクロ処理部のそれぞれによって形成された画像に代わり、前記カラー処理部により処理される画像を選択させることができることを特徴とする画像処理装置。
【請求項１１】
請求項８に記載の画像処理装置において、
ＲＧＢ信号とモノクロ信号を読み取ることができる画像読取部を備え、
前記第１モノクロ処理部はＲＧＢ信号を用いて画像形成処理を行い、
前記第２モノクロ処理部はモノクロ信号を用いて画像形成処理を行うことを特徴とする画像処理装置。
【請求項１２】
画像処理装置のコンピュータにより行われる画像処理方法であって、
複数色からなる多色カラー原稿についてカラー画像形成処理を行うカラー処理ステップと、
一つの色からなる単色カラー原稿についてモノクロ画像形成処理を行う第１モノクロ処理ステップと、
モノクロ原稿について第１モノクロ処理ステップによるモノクロ画像形成処理とは異なるモノクロ画像形成処理を行う第２モノクロ処理ステップと、
前記カラー処理ステップと前記第１モノクロ処理ステップと前記第２モノクロ処理ステップとを原稿ごとに使い分けることができる選択ステップと、
を備えてなる画像処理方法。
【請求項１３】
請求項１２に記載の画像処理方法において、
前記選択ステップは、読み取られて取得された原稿ごとに、該原稿が多色カラー原稿であるのか、単色カラー原稿であるのか、モノクロ原稿であるのかを判定し、該判定結果に基づいて、前記カラー処理手段と前記第１モノクロ処理手段と前記第２モノクロ処理手段の出力の少なくともいずれか一つを選択することを特徴とする画像処理方法。
【発明の詳細な説明】
【技術分野】
【０００１】
本発明は、ＣＣＤラインセンサで原稿を走査することで画像情報を読み取るスキャナやデジタル複写機などに用いられる画像処理装置および画像処理方法に関するものである。
【背景技術】
【０００２】
従来、縮小光学系に用いられるＣＣＤラインセンサは、1列のラインセンサで構成されたラインセンサと、赤（以下、Ｒとも記す）、緑（以下、Ｇとも記す）、および、青（以下、Ｂとも記す）の色フィルタをそれぞれ３つのラインセンサの表面に配置した３列のラインセンサで構成されたセンサが一般的である（例えば、特許文献１および２参照。）。
【０００３】
この３列のＣＣＤラインセンサは、基本的にカラー原稿読取に使用される。この場合、光源としては、発振波長４００ｎｍから７００ｎｍの可視光領域を十分カバーする分光特性を有するものを使用し、Ｒ、Ｇ、Ｂの色情報の分離は各ラインセンサの表面に配置された色フィルタで行う。
【０００４】
また、この３列のＣＣＤラインセンサを用いてモノクロ原稿を読み取る場合には、３列のＣＣＤラインセンサのうち、１つの出力、すなわち、一般的には朱色の捺印を確実に読み取る目的でＧのＣＣＤラインセンサの出力を用いる方式と、３列のＣＣＤラインセンサの出力を全て用いて白／黒情報を生成する方式がある。
【０００５】
これによれば、例えば、赤、緑、青の色フィルタをそれぞれ３つのラインセンサの表面に配置した３列のラインセンサを用いて入力原稿がカラー原稿であるか、モノクロ原稿であるかを判定し、プリンタに出力時にカラー原稿であればカラー出力を行い、モノクロ原稿であればモノクロの出力を行う。
【特許文献１】特開２００３−２７４１１５号公報
【特許文献２】特開平１１−１８７２６６号公報
【発明の開示】
【発明が解決しようとする課題】
【０００６】
しかし、背景のみがカラーで構成されているような原稿では、カラーとして有用な情報ではないにも関わらず、カラー画素が多く存在する為カラー出力となり、不要にトナーを消費する事となる。
【０００７】
一方、このような原稿をモノクロ出力とした場合には、モノクロ情報は、
（赤情報＋青情報＋緑情報）／３
により算出することができる。
【０００８】
この処理を用いると、例えば、下地の色が青の上に黒文字で情報が構成されている場合、下地の青情報読取時の各ラインセンサの出力が、（赤：青：緑）＝（４０：６０：１２０）、黒文字情報読取時の各ラインセンサの出力が（赤：青：緑）＝（４０：４０：４０）であった場合に、
青下地情報をモノクロ化した場合、（４０＋６０＋１２０）／３＝７３
黒文字情報をモノクロ化した場合、（４０＋４０＋４０）／３＝４０
となる。
【０００９】
よって、このようなカラー原稿をモノクロ複写した場合、ほぼ同一濃度となることが分かる。したがって従来のカラー原稿、モノクロ原稿を判定し２通りの方法で出力を行う場合では、不要にトナーを消費することや、モノクロ出力の場合に潰れやかすれが生じる。
【００１０】
本発明は上述した問題点を解決するためになされたものであり、画像読み取り装置により読み込まれた画像に対して、原稿ごと（例えば１枚毎）にカラー原稿とモノクロ原稿を特定し、それぞれに適した処理を用いることで、視認性の良い画像を得ることができる画像処理装置及び画像処理方法を提供することを目的とする。
【課題を解決するための手段】
【００１１】
上述した課題を解決するため、本発明の一態様に係る画像処理装置は、複数色からなる多色カラー原稿についてカラー画像形成処理を行うカラー処理部と、一つの色からなる単色カラー原稿についてモノクロ画像形成処理を行う第１モノクロ処理部と、モノクロ原稿について第１モノクロ処理部によるモノクロ画像形成処理とは異なるモノクロ画像形成処理を行う第２モノクロ処理部と、前記カラー処理部と前記第１モノクロ処理部と前記第２モノクロ処理部とを原稿ごとに使い分けることができる選択部とを備えてなることを特徴とするものである。
【００１２】
また、本発明の一態様に係る画像処理装置のコンピュータにより行われる画像処理方法であって、複数色からなる多色カラー原稿についてカラー画像形成処理を行うカラー処理ステップと、一つの色からなる単色カラー原稿についてモノクロ画像形成処理を行う第１モノクロ処理ステップと、モノクロ原稿について第１モノクロ処理ステップによるモノクロ画像形成処理とは異なるモノクロ画像形成処理を行う第２モノクロ処理ステップと、前記カラー処理ステップと前記第１モノクロ処理ステップと前記第２モノクロ処理ステップとを原稿ごとに使い分けることができる選択ステップとを備えてなることを特徴とするものである。
【発明の効果】
【００１３】
以上に詳述したように本発明によれば、画像読み取り装置により読み込まれた画像に対して、原稿ごと（例えば１枚毎）にカラー原稿とモノクロ原稿を特定し、それぞれに適した処理を用いることで、視認性の良い画像を得ることができる画像処理装置及び画像処理方法を提供することができる。
【発明を実施するための最良の形態】
【００１４】
以下、本発明の実施の形態について図面を参照しつつ説明する。
【００１５】
（実施の形態１）
図１は、本発明の実施の形態１における画像読取装置の構成を示している。この画像読取装置（後述の画像読取部）１２０において、原稿ｏｒｇが原稿台ガラス４４の上に下向きに置かれる。開閉自在に設けられた原稿固定用のカバー１５が閉められると、原稿ｏｒｇは原稿台ガラス４４の上に押さえつけられる。原稿ｏｒｇは光源１で照射され、原稿ｏｒｇからの反射光は、第１ミラー３、第２ミラー５、第３ミラー６、及び集光レンズ８を介し、ＣＣＤセンサ基板１０に実装されたＣＣＤラインセンサ９のセンサ面上に結像される。
【００１６】
原稿ｏｒｇは光源１と第１ミラー３で構成される第１キャリジ４と、第２ミラー５と第３ミラー６で構成される第２キャリジ７が図示しないキャリジ駆動用モータで移動され、原稿ｏｒｇの上を光源１からの照射光が走査することとなる。この場合、第１および第２キャリッジの移動に関し、第１キャリジ４の移動速度は第２キャリジ７の移動速度の２倍に設定されているので、原稿ｏｒｇからＣＣＤラインセンサ９までの光路長が一定になるように制御されている。
【００１７】
このようにして原稿台ガラス４４の上に置かれた原稿ｏｒｇは１ライン毎に順次読み取られ、ＣＣＤラインセンサ９によって、反射光である光信号の強度に応じたアナログ電気信号に変換される。その後、変換されたアナログ電気信号は、デジタル信号に変換され、ハーネス１２を介しＣＣＤセンサ関連の制御信号を扱う制御基板１１に引き渡される。制御基板１１においては、集光レンズ８による低周波歪みや、ＣＣＤラインセンサ９の感度バラツキにより生じる高周波歪みを補正するシェーディング（歪み）補正等のデジタル信号処理が施される。また、上述のアナログ電気信号をデジタル信号に変換する処理は、ＣＣＤセンサ基板１０で行ってもハーネス１２を介して接続される制御基板１１で行ってもよい。
【００１８】
上述のシェーディング補正を行う際、黒の基準となる信号と白の基準となる信号が必要となり、前者の黒基準信号は光源１を消灯状態として、ＣＣＤラインセンサ９に光が照射しない状態でのＣＣＤラインセンサ９の出力信号とし、後者の白基準信号は光源１を点灯状態として白基準板１３を読取った際のＣＣＤラインセンサ９の出力信号とする。また、この基準信号を生成する際は、特異点や量子化誤差による影響を低減させるために複数ライン分の信号を平均化することが一般的に行われている。
【００１９】
次に、図２および図３を参照して図１で示されるＣＣＤラインセンサの構成と動作について説明を行う。図２は本実施の形態の１例である、受光面に青色、緑色、赤色（以下、それぞれＢ、Ｇ、Ｒと記す）の色フィルタをそれぞれ配置した３つのラインセンサ、すなわち、ラインセンサＢと、ラインセンサＧと、ラインセンサＲからなる３ラインＣＣＤセンサの概略構成図を示す。ラインセンサＢ、Ｇ、Ｒはフォトダイオードアレイからなり、光電変換動作が行われる。
【００２０】
原稿ｏｒｇは、例えばＡ４サイズの原稿の場合、長手方向に２９７ｍｍ、短手方向に２１０ｍｍの面積を有する。そして、長手方向を主走査方向、短手方向を副走査方向として原稿読取動作を行う場合、ＣＣＤラインセンサ９のフォトダイオードアレイの有効画素の数は最低でも７０１６画素だけ必要となる。一般的には７５００画素のセンサとなる。また、ＣＣＤラインセンサは図３に示すように、有効画素７５００画素の前段に光が入射しないようにフォトダイオードアレイの一部にアルミ等で遮光した光シールド画素部分、有効画素の前後にダミー画素部分、空送り部分があるため、ＣＣＤラインセンサに蓄積した電荷全てを外部に出力するためには７５００画素を超える転送ＣＬＫ数が必要となる。
【００２１】
ここで、有効画素領域外の光シールド画素部分と、空送り部分と、ダミー画素部分の合計を転送ＣＬＫの数で５００個とすると、１ライン分のＣＣＤラインセンサに蓄積された電荷を全てＣＣＤラインセンサの外部に出力するためには８０００個の転送ＣＬＫ分の時間が必要となり、その時間が１ラインの光蓄積時間（ｔＩＮＴ）となる。
【００２２】
また、ＣＣＤラインセンサの出力信号の特徴として、電気的基準レベル（ＧＮＤ）に対し、ある一定オフセットを履いた電圧レベルを基準に信号が出力される。この基準となる電圧レベルを信号出力直流電圧（オフセットレベル：Ｖｏｓ）と呼ぶ。図３に示す１ライン光蓄積時間（ｔＩＮＴ）内のＳＨ信号が“Ｌ”レベル時にラインセンサに照射された光エネルギーはフォトダイオードに電荷として蓄積され、ＳＨ信号が“Ｈ”レベル時に蓄積された電荷はフォトダイオードに隣接したシフトゲートを通り更に隣接したアナログシフトレジスタに転送される。この転送動作が終了したらＳＨ信号を“Ｌ”レベルにしてシフトゲートを操作し、電荷がフォトダイオード外に漏れないようにし、再度フォトダイオードで電荷蓄積動作をはじめる。
【００２３】
アナログシフトレジスタに転送された電荷は画素単位で転送ＣＬＫの周期で外部に転送されていく。この動作のため、ＳＨ信号によりフォトダイオードからシフトゲートを通り電荷がアナログシフトレジスタに移動している期間は転送ＣＬＫを停止するように印加する（図３参照のこと）。また、転送ＣＬＫを常時入力し、ＣＣＤラインセンサ内部でＳＨ信号に合わせて転送ＣＬＫを停止する場合も内部の電荷転送動作は同様となる。また、ＣＣＤラインセンサにより、ＳＨ信号及び転送ＣＬＫの極性は図３と異なる場合もあるが、センサの内部動作は同様である。
【００２４】
上述した８０００個の転送ＣＬＫ分の時間とは、ＳＨ信号時の転送ＣＬＫ停止状態に関わらず、ＣＬＫの数ではなく時間として説明している。例えば、４ラインＣＣＤセンサの画像転送周波数ｆ＝２０ＭＨｚと仮定すると、１ライン分のラインＣＣＤセンサに蓄積された電荷を全て外部に出力するためには、
８０００（ＣＬＫｓ）×（１／２０ＭＨｚ）＝４００μｓ
の時間が必要となり、この時間がラインセンサの副走査方向１ライン分の光蓄積時間となる。
【００２５】
以下、転送ＣＬＫ（周期ｔ０）の周波数を２０ＭＨｚ，１ライン光蓄積時間ｔＩＮＴを４００μｓとして、ラインＣＣＤセンサ９から出力されるアナログ信号振幅の関係を説明するが、製品仕様によってはこれらの転送ＣＬＫ周波数、１ライン光蓄積時間は当然異なるものである。
【００２６】
図４にＣＣＤラインセンサＲ、Ｇ、Ｂの分光感度特性を示す。ＣＣＤラインセンサ９は、前述のように色フィルタを配置したラインセンサＲ、Ｇ、Ｂで構成されていて、これらのラインセンサに光源からの光を一様に照射した場合、ラインセンサＲまたはラインセンサＧ、またはラインセンサＢは特定領域の波長にしか感度を持たない。ＣＣＤラインセンサ９から出力される信号は図５に示す通り、Ｂ、Ｇ、Ｒが同期して出力される。また、ＣＣＤラインセンサ９の全ての有効画素領域が画像として用いられるのではなく、その領域の内、読取り画像に適した画素数を有効画像領域（ＨＤＥＮ信号の“Ｌ”レベルの期間）として選択する。参考としてキセノン光源の分光分布の一例を図６に示す。
【００２７】
図７（ａ）は、ＣＣＤラインセンサ９から出力されるアナログ信号のアナログ処理回路の概略構成を示すブロック図、図７（ｂ）は、図７（ａ）で示される処理回路におけるアナログ波形を説明するタイムチャートである。ＣＣＤラインセンサ９から出力されるアナログ信号のための各種アナログ処理回路１１Ｃ（図８参照）は、一般的に、カップリングコンデンサ２０、相関二重サンプリング回路であるＣＤＳ（Correlated Double Sampling）回路またはサンプルホールド回路２１、ゲインアンプ部２２、デジタル信号をアナログ信号に変換するＤＡＣ（Digital Analog Converter）部２３と、直流成分を除去するためオフセット除去回路２４と、アナログ信号をデジタル信号に変換するＡＤＣ（Analog Digital Converter）部２５から構成される。
【００２８】
次に、図７（ｂ）を用いて図７（ａ）の回路の具体的な動作を説明する。ＣＣＤラインセンサ９からの出力信号は図３にも示したように信号出力直流電圧（Ｖｏｓ）を基準に出力される。この信号出力直流電圧（Ｖｏｓ）はＣＣＤラインセンサ９により異なり、＋１２Ｖ電源を使用するＣＣＤラインセンサの場合、３〜８Ｖ程度のバラツキを持つ。この不確定なレベルを有する信号の直流成分を除去する目的で直列にカップリングコンデンサ２０を接続する。この際、ＣＤＳ回路またはサンプリング回路２１の処理のため、図３に示したダミー画素部分、または光シールド部分の電位を基準電位（Ｖｒｅｆ）に合わせこむ処理を行う。
【００２９】
次に、上記直流成分が除去されたＣＣＤラインセンサからのアナログ信号を後段のＡＤＣ部２５の入力レンジに合わせこむ処理を行う。その際、直流成分を入力レンジに合わせこむためにＤＡＣ部２３で直流電圧を生成し、その直流電圧にＣＣＤセンサの光シールド部の電圧が合うように、再度相関二重サンプリング回路であるＣＤＳ（Correlated Double Sampling）回路またはサンプルホールド回路２１とオフセット除去回路２４で直流成分の調整を行う。
【００３０】
図７（ｂ）で示されるように、ＡＤＣ２５の変換に必要な‘Ｈ’レベル側の基準電圧をＡＤＣ基準１（ｒｅｆ（＋））、‘Ｌ’レベル側の基準電圧をＡＤＣ基準２（−）とし、この電圧範囲内に入るように処理を行う。この際、ＡＤＣ基準１（ｒｅｆ（＋））を上回ったり、ＡＤＣ基準２（ｒｅｆ（−））を下回る信号が入力されるとＡＤＣ２５の出力が飽和してしまうため、絶対にこれら基準を超えないようにする。
【００３１】
図８において、図１で示された制御基板１１およびＣＣＤセンサ基板１０の概略構成を示す。制御基板１１は、ＣＰＵ等の処理ＩＣ（ＣＰＵ）１１Ａと、各種タイミング生成回路１１Ｂと、図７（ａ）に示した各種アナログ処理回路１１Ｃと、ラインメモリ回路１１Ｄと、画像処理回路１１Ｅで構成される。処理ＩＣ１１Ａは、ＣＣＤラインセンサ９の信号処理系を制御する他に、アドレスバスとデータバス等の制御信号を用い、光源１の制御を行う光源制御回路１７や第１キャリジ４と第２キャリジ７を移動させるためのモータ１９を制御するための駆動系制御回路１８の制御も行う。
【００３２】
各種タイミング生成回路１１Ｂにおいては、図３で示したＳＨ信号や転送ＣＬＫ１、２等、ＣＣＤラインセンサ９を駆動するために必要な信号と、図７（ａ）に示した各種アナログ処理に必要な信号を生成する。各種タイミング生成回路１１Ｂで生成したＣＣＤラインセンサ９の駆動に必要な信号はＣＣＤセンサ制御回路１０Ａでタイミング調整を行い、信号振幅レベル合せ、または、波形整形のためのＣＣＤドライバ１０Ｂを介しＣＣＤラインセンサ９に入力される。ここで、ＣＣＤセンサ制御回路１０Ａは各種タイミング生成回路１１Ｂに含まれていても問題ない。ＣＣＤラインセンサ９からの出力は各種アナログ処理回路１１Ｃに入力され、図７（ａ）に示した回路により各種アナログ処理が行われる。また、図８では、この各種アナログ処理回路１１Ｃを制御基板１１の構成要素として記載したが、ＣＣＤセンサ基板１０に配置しても機能的に問題はない。
【００３３】
ＣＣＤラインセンサ９は、図２に示したように、各ラインセンサが物理的に離れて配置されているため、各ラインセンサの読取り位置にはズレが生じている。ラインメモリ回路１１Ｄでその読取り位置ズレを補正する。画像処理回路１１Ｅでは、ラインメモリ回路１１Ｄの制御を行う他に、デジタル信号に変換された画像信号を用いて行うシェーディング補正、ＬＯＧ変換等の処理が行われる。各種処理がなされたＲＧＢ信号は、図９に示す画像処理基板に組み込まれた画像処理部１４へ出力される。
【００３４】
図９は画像読取装置（スキャナ部）と画像を紙に形成するプリンタ部からなるデジタル複写機の概略図である。図９に示すプリンタ部１３０は、スキャナ部１２０で読み取った原稿からモノクロ画像を生成する構成の一例として示している。プリンタ部１３０は、画像を生成するために必要な処理、例えば、スキャナ部１２０のＣＣＤラインセンサ９で読取った画像データに対して、フィルタ処理、階調処理などを行い図示しない半導体レーザ等の発光素子の制御信号に変換する処理を行う画像処理部１４と、感光体ドラム３７の上に潜像を形成するための半導体レーザ等の発光素子が配置されたレーザ光学系ユニット１５と、画像形成部１６から構成される。
【００３５】
また、画像形成部１６は、電子写真プロセスで画像を生成するのに必要な感光体ドラム３７、帯電器３８と、現像器３９と、転写チャージャ３０と、剥離チャージャ３１と、クリーナ３２と、用紙Ｐを搬送するための用紙搬送機構３３と、定着器３４で構成される。画像形成部１６で画像が形成された用紙Ｐは、排出ローラ３５を介して、排紙トレイ３６に排出される。
【００３６】
また、本実施の形態におけるカラー原稿とモノクロ原稿の判定及びそれらに対する処理も画像処理部１４にて行われる。詳細については後述する。
【００３７】
図１０は、図９に示されるように、画像読取装置と画像形成装置から構成した画像処理装置の全体のシステム構成を概略的に示すブロック図である。このシステムは、スキャナ部（画像読取装置）１２０と、記録媒体であるメモリ５１Mと、各種の画像処理を行なう画像処理部１４と、半導体レーザを用いたレーザ光学系１５と、電子写真プロセスを用いてトナーで画像を形成する画像形成部１６とを備えると共に、それらの制御を行うシステム制御部５９とユーザが直接入力を行うコントロールパネル５８とを備えている。レーザ光学系１５と画像形成部１６とは画像形成装置（プリンタ部）１３０を構成している。
【００３８】
ここで、画像処理部１４は、本発明の画像処理装置に対応している。なお、本実施の形態では、画像処理部１４を画像読取装置（スキャナ部）１２０と別に設けたが、これらを一体的にした画像読取装置を提供することもできれば、画像処理部１４を画像形成装置１３０と一体的にした画像形成装置を提供することもできることは言うまでもない。
【００３９】
図１１は、図１０のシステムを複写機として使用した場合の説明図、図１２は、図１０のシステムをネットワークに接続して外部コンピュータＰＣ１、ＰＣ２、ＰＣ３、・・・からスキャナとして使用する場合の説明図である。
【００４０】
図１１では、装置としてはシステム制御部５９を介してネットワークに接続しているが、動作としては複写装置単体で動作する。まず、ユーザが画像読取装置であるスキャナ部１２０に複写したい原稿ｏｒｇをセットし、コントロールパネル５８から所望の設定を行う。
【００４１】
コントロールパネル５８は、画像処理装置を複写装置として複写作業を行うか、画像読取装置であるスキャナとして使用するかを設定するためのコピー／スキャナ・ボタンと、原稿モードを指定する原稿モード指定ボタンと、拡大／縮小処理や、設定した枚数を表示するための表示部と、所望の枚数を入力するためのキーボタンと、入力した数値をクリアするためのクリアボタンからなる複写枚数設定部と、コントロールパネルで設定した条件を初期化するためのリセットボタンと、コピー動作またはスキャナ動作を途中で中止するためのストップボタンと、コピー動作またはスキャナ動作を開始するスタートボタンとから構成されている。また、コントロールパネル上の各種設定ボタンは、例えば液晶を用いたタッチパネルで構成され表示部に併用されていてもよい。
【００４２】
本発明の実施の形態におけるカラー／モノクロ混載モード（Ａｕｔｏ  Ｃｏｌｏｒ  Ｓｅｌｅｃｔ：ＡＣＳモード）の指定もこのコントロールパネルにより設定される。ＡＣＳモードについての説明は後述する。なお、コントロールパネル５８は本発明のカラー原稿混載モード設定部（設定手段）を構成している。
【００４３】
そして、原稿ｏｒｇをセットしたら原稿押えカバー１５を閉じ、コントロールパネル５８を使用して、原稿の種類、原稿サイズに対して出力する用紙サイズ、１枚の原稿について複写する枚数等を設定し、スタートボタンを押下することで複写動作が開始する。
【００４４】
この際、スキャナ部１２０で読み取った画像情報は、記憶媒体（装置）であるメモリ５１Mに一時的に蓄積される。このメモリは、最大複写可能なサイズの画像情報を全て格納できる容量より大きな容量を持つページメモリで構成される。このメモリから出力される画像信号は画像処理部１４でフィルタ処理、階調処理等の処理を行い、半導体レーザの制御信号に変換され、後段のレーザ光学系１５に入力される。レーザ光学系１５で画像信号が半導体レーザの光出力となり、画像形成部１６の感光体３７へ照射する。画像形成部１６は電子写真プロセスにより画像を形成する。
【００４５】
図１２を用いて、スキャナ部１２０で読み取った画像情報をシステム制御部５９を介してネットワーク接続によるコンピュータに画像を出力するネットワークスキャナとして動作する例について説明する。ユーザがスキャナ部１２０に原稿ｏｒｇをセットし、コントロールパネル５８で原稿ｏｒｇの種類、サイズ、コピー動作かスキャナ動作かどうかを設定する。また、ネットワークで接続してある画像情報の送り先であるコンピュータＰＣ１のアドレスを設定し、スタートボタンを押下することで動作が開始する。スキャナ部１２０で読み取った画像情報はメモリ５１Mに格納され、その後、後段の画像処理部１４で本実施の形態における処理と共に、必要に応じてＪＰＥＧ、ＰＤＦ形式のような所望の圧縮処理が行われる。その圧縮された画像情報はシステム制御部５９を介し、ネットワークを通り外部コンピュータＰＣ１に転送される。
【００４６】
本発明の実施の形態における画像処理部の構成を図１３を用いて説明する。スキャナ部１２０より出力されるカラー信号（ＲＧＢ信号）は、ページメモリ（以降PMと省略する）７１に保存されると同時に、カラー画素判定部７２に入力される。PM７１に入力されたＲＧＢ信号による画像（ＲＧＢ画像）は、モノクロ原稿を処理するためのモノクロ原稿用処理部（第２モノクロ処理部又は第２モノクロ処理手段）７３と、単色カラー原稿を処理するためのカラー原稿用モノクロ処理部（第１モノクロ処理部又は第１モノクロ処理手段）７４と、複数色を有する原稿である多色カラー原稿を処理するためのカラー処理部（カラー処理手段）７７へそれぞれ入力され、それぞれの処理結果をセレクタ７６により選択してプリンタ部１３０へ出力する。ＣＰＵ７５は、カラー画素判定部７２からの出力信号に基づき、セレクタ７６への切り替え信号を出力する。ここでＣＰＵ７５は、本発明の選択部（選択手段）を構成している。
【００４７】
コントロールパネルにより、上述のＡＣＳモードが選択された場合には、スキャナ部１２０から出力されるＲＧＢ信号を用いて、原稿一枚毎にカラー原稿であるかモノクロ原稿であるかをカラー画素判定部７２により判定し、カラー原稿とモノクロ原稿それぞれに適した処理を行う。
【００４８】
カラー画素判定部７２は、入力されたＲＧＢ信号に対して１画素ごとに、｜Ｒ−Ｇ｜，｜Ｇ−Ｂ｜，｜Ｂ−Ｒ｜を算出する。算出した｜Ｒ−Ｇ｜，｜Ｇ−Ｂ｜，｜Ｂ−Ｒ｜に対して、５×５領域単位に平均値を算出する。
【００４９】
算出した平均値（それぞれave（｜Ｒ−Ｇ｜）, ave（｜Ｇ−Ｂ｜）, ave（｜Ｂ−Ｒ｜）と定義する）に対して、以下の条件式を用いてカラー画素の総数を算出する。
If(ave(|R-G|) ＞ th1 or ave(|G-B|) ＞ th2 or ave(|B-R|) ＞  th3)
カラー画素としてカウント→col＿cnt＝col＿cnt＋１
else    カウントしない
ここで、col＿cntの初期値は０、原稿１枚毎に初期化を行うこととする。
【００５０】
また、カラー画素判定部７２ではカラー画素総数の算出と合わせて１画素毎に色相判定を行い、Ｂｌａｃｋ／Ｒｅｄ／Ｙｅｌｌｏｗ／Ｇｒｅｅｎ／Ｃｙａｎ／Ｂｌｕｅ／Ｍａｇｅｎｔａ／Ｗｈｉｔｅのどの色相に相当するかを決定する。この色相判定方法については、後述するカラー原稿用モノクロ処理で用いている方法と同じとする。
【００５１】
１画素毎に色相判定を行った結果に対して、次に５×５サイズの領域を参照し、その領域内に存在する最大頻度の色相を５×５領域の代表色相とする。この代表色相を原稿全領域に対して算出し、各代表色相の出現総数をＣＰＵ７５へ出力する。
【００５２】
このようなカラー画素判定処理を原稿全領域に対して行う事により、原稿に存在するカラー画素の総数と、カラー画素として用いられているカラー色相の総数が判明する。
【００５３】
カラー画素数を示すcol＿cntと、カラー色相出現総数を示すred＿cnt／yellow＿cnt／green＿cnt／cyan＿cnt／blue＿cnt／magenta＿cntをＣＰＵ７５に出力し図１４に示すフローによりモノクロ原稿、単色カラー原稿及びカラー原稿の判定を行う。
【００５４】
図１４に示される処理では、ＣＰＵ７５では予め設定されている閾値colthとcol＿cnt値を比較することで、カラー原稿であるかモノクロ原稿であるかを判定する（ステップＳ１）。カラー画素数がcolth未満の値であれば、ＣＰＵはモノクロ原稿であると判断し（ステップＳ２）、セレクタ７６に対してモノクロ原稿用処理部７３を選択するように指示を行う（ステップＳ８）。
【００５５】
次にカラー画素数がcolth以上の場合には、Ｂｌａｃｋ及びＷｈｉｔｅを除く各色相から頻度の最大値を抽出する（ステップＳ３）。この最大値と閾値Ｈｕｅ＿ｍａｘと比較し（ステップＳ４）、閾値以上であれば単色カラー原稿であると仮判定を行う。次に、Ｂｌａｃｋ及びＷｈｉｔｅと最大頻度となる色相を除く色相の頻度に対して、閾値Ｈｕｅ＿ｍｉｎと比較を行う。比較結果が全て閾値ｈｕｅ＿ｍｉｎ未満であれば、単色カラー原稿として判定する（ステップＳ５）。この場合には、ＣＰＵはカラー原稿用モノクロ処理部７４を選択するようにセレクタ７６に指示を行う（ステップＳ８）。
【００５６】
ステップＳ４において、最大頻度の色相がＨｕｅ＿ｍａｘ未満及び、その他の色相の頻度のいずれか１つでもＨｕｅ＿ｍｉｎ以上の頻度を持つ場合には、複数色を用いたカラー原稿であると判断し（ステップＳ７）、カラー処理部７７を選択するようにセレクタ７６に指示を行う（ステップＳ８）。
【００５７】
この様に閾値Ｈｕｅ＿ｍｉｎとの比較を行うのは、カラー原稿でも文字のみで構成されている場合には、モノクロ出力としてトナー消費量を低減させる為である。一般的に原稿全画素に存在する文字の割合は１０％程度であり、カラーで構成された文字が存在した場合でも、モノクロ出力が可能である。一方、原稿中にカラーの写真が存在した場合には、上記条件以外となるのでカラー文字の原稿であるか、カラー写真の原稿であるかを判定することができる。モノクロ原稿、単色カラー原稿及びカラー原稿の判定に用いるｃｏｌｔｈ、Ｈｕｅ＿ｍａｘ、Ｈｕｅ＿ｍｉｎの閾値はコントロールパネルにより調整可能な仕組みとしても良い。
【００５８】
次に、ＣＰＵ７５によりモノクロ原稿、単色カラー原稿及び多色カラー原稿と判定された後の動作について説明する。
【００５９】
モノクロ原稿と判定された場合には、モノクロ原稿用処理部７３を用いてＰＭ７１から入力されたＲＧＢ信号に対して、ＲＧＢ平均化処理を行うことでモノクロ信号を生成する。モノクロ信号に対して、下地除去処理やフィルタ処理、２値誤差拡散処理などを行いセレクタ７６に出力する。モノクロ用の処理は一般的に知られている技術であるため、ここでの説明は省略する。
【００６０】
次に、入力原稿が単色カラー原稿と判定された場合には、カラー原稿用モノクロ処理部７４が選択される。カラー原稿用モノクロ処理部７４では、図１５に示すようにＰＭ７１からのＲＧＢ信号それぞれは個別に下地除去処理部５１〜５３へ入力される。
【００６１】
図１５および図１６を参照して、本実施の形態におけるカラー原稿用モノクロ処理部７４の構成について説明する。スキャナ部１２０より出力されるカラー信号(ＲＧＢ信号)は、ＲＧＢ信号それぞれ区別されて独立（個別）に下地除去処理部５１，５２，５３へ入力される。
【００６２】
下地除去処理部５１，５２，５３では、入力された信号に対して副走査１ライン毎にヒストグラムを算出し、最大頻度となる信号値を白基準値として算出する。算出された白基準値と予め設定した黒基準値を用いて再規格化演算を行うことにより、下地除去処理を行う。再規格化演算式は以下の通りである。
ＯＵＴimg  ＝  （ＩＮimg−黒基準値）／（白基準値−黒基準値）×２５５
ここで、ＯＵＴimgは再規格化の出力信号であり、ＩＮimgは入力画像信号である。
【００６３】
色相判定処理部５４ではＲＧＢ信号を用いて、図１６に示すように色相／彩度を算出する。具体的にはＲＧＢ信号から、色相信号算出部５４Ａおよび彩度信号算出部５４Ｂにより、下記演算式を用いて色相信号／彩度信号を算出する。
色相信号＝tan-1（（R−G）／（G−B）＊180）/π
彩度信号＝Ｍａｘ(|Ｒ−Ｇ|,|Ｇ−Ｂ|)
ここで、Ｍａｘ(|Ｒ−Ｇ|,|Ｇ−Ｂ|)とは、Ｒ−Ｇの絶対値とＧ−Ｂの絶対値を比較し大きい方の値を出力することを意味する。
【００６４】
算出された色相／彩度信号から色相判定部５４Ｃにより色相を判定する。具体的には算出された彩度信号を閾値ｔｈｃと濃度閾値ｔｈｄを比較し、有彩色とＢｌａｃｋ及びＷｈｉｔｅの判定を行う。
彩度信号＜ｔｈｃ  且つ  MAX(R,G,B)＜ｔｈｄ  ならば  Ｂｌａｃｋ
彩度信号＜ｔｈｃ  且つ  MAX(R,G,B)≧ｔｈｄ  ならば  Ｗｈｉｔｅ
彩度信号≧ｔｈｃ  ならば  有彩色
【００６５】
その判定の結果、有彩色と判定された場合は、色相信号を用いて色相を判定する。具体的には、色相信号は図１７の色相円板に示すように、Ｒｅｄを０°として、Ｙｅｌｌｏｗ（約９０°）、Ｇｒｅｅｎ（１８０°）、Ｂｌｕｅ（２７０°）と角度により色相を表すことができる。よって求められた色相信号を下記条件式により比較することで、色相を判定することができる。
【００６６】
条件式；
色相信号≦ｔｈｈ１  ｏｒ  色相信号＞ｔｈｈ６  ならば  Ｒｅｄ
ｔｈｈ１＜色相信号≦ｔｈｈ２  ならば  Ｙｅｌｌｏｗ
ｔｈｈ２＜色相信号≦ｔｈｈ３  ならば  Ｇｒｅｅｎ
ｔｈｈ３＜色相信号≦ｔｈｈ４  ならば  Ｃｙａｎ
ｔｈｈ４＜色相信号≦ｔｈｈ５  ならば  Ｂｌｕｅ
ｔｈｈ５＜色相信号≦ｔｈｈ６  ならば  Ｍａｇｅｎｔａ
以上の判定により、１画素毎の色相を判定する。
【００６７】
色相判定部５４Ｃにより判定された色相結果を背景色特定部５４Ｄに入力する。背景色特定部５４Ｄでは、主走査７０１６画素×副走査３ライン（処理ラインの前後１ラインずつ）の領域でのＢｌａｃｋ／Ｒｅｄ／Ｙｅｌｌｏｗ／Ｇｒｅｅｎ／Ｃｙａｎ／Ｂｌｕｅ／Ｍａｇｅｎｔａ／Ｗｈｉｔｅの色相頻度総数を算出する。算出された各色相の頻度総数を所定の閾値と比較することにより、処理ラインの背景となる色を特定（決定）する。具体的には以下の条件により特定する。
条件式
Ｂｌａｃｋ頻度総数＞ｂｇ＿ｔｈ１ならば  Ｂｌａｃｋ色相が背景
Ｂｌａｃｋ頻度総数≦ｂｇ＿ｔｈ１ならば  Ｂｌａｃｋ色相が非背景
Ｒｅｄ頻度総数＞ｂｇ＿ｔｈ２ならば  Ｒｅｄ色相が背景
Ｒｅｄ頻度総数≦ｂｇ＿ｔｈ２ならば  Ｒｅｄ色相が非背景
ここで、Ｙｅｌｌｏｗ、Ｇｒｅｅｎ、Ｃｙａｎ、Ｂｌｕｅ、Ｍａｇｅｎｔａ、Ｗｈｉｔｅそれぞれに対して同様に閾値判定を行う。
【００６８】
モノクロ信号生成処理部５５（図１５）では、下地除去処理部５１，５２，５３から出力されたＲＧＢ信号（それぞれrng＿R、rng＿G、rng＿Bと定義する）と、スキャナ部１２０から出力されたＲＧＢ信号と、色相判定処理部５４から出力される各画素の色相判定結果およびライン単位の背景色判定結果を用いて、モノクロ信号を生成する。具体的には以下の表１に示す条件により出力するモノクロ信号を決定する。
【表１】
2008193680.tif 000003
【００６９】
モノクロ出力信号がそれぞれ２５５から減算されているのは、ＲＧＢ信号系では白が“２５５”で黒が“０”で表されるが、モノクロ信号としては白を“０”、黒を“２５５”で表すので減算を行っている。
【００７０】
以上の様に背景と非背景で異なるＲＧＢ信号を用いるのは、例えばＲｅｄ色相の場合を例に挙げると、赤色の原稿を読み込んだ場合には、理想的な状態ではスキャナから出力されるＲＧＢ信号は、Ｒｅｄ＝２５５、Ｇｒｅｅｎ＝０、Ｂｌｕｅ＝０である。ここで背景の場合にはＲｅｄ信号を用いることで、モノクロ化した場合には背景の値が“０”となる。
【００７１】
また、非背景の場合つまり文字の場合には、モノクロ化した時に黒として出力する必要があるので、Ｇｒｅｅｎ及びＢｌｕｅ信号を用いる。Ｇｒｅｅｎ、Ｂｌｕｅ信号が“０”である為モノクロ化した場合には、黒“２５５”となる。実際のスキャナではこの様な理想状態で信号が出力されることが無いので、背景と判定された色相については、下地除去処理を行った信号を用いることでモノクロ化した時のかぶり（非背景の背景との同化）を抑制している。
【００７２】
この様にモノクロ化した信号に対して、下地除去処理部５６にて下地除去処理を行うことで更なる背景の除去を行うことも可能である。下地除去処理部５６での処理方法は先に示した下地除去処理部５１，５２，５３の場合と同様である。後処理部５７は、下地除去処理部５６から出力された信号に対して、フィルタ処理や２値誤差拡散などの階調処理を行い、セレクタ７６に出力する。
【００７３】
また、カラー原稿と判定された場合ではカラー処理部７７を用いて、ＲＧＢ信号に対して色変換、フィルタ処理、墨入れ処理、階調処理を行い、セレクタ７６へ出力する。カラーの処理についても、一般的に知られている技術である為、詳細は省略する。
【００７４】
以上のようにカラー原稿とモノクロ原稿のみの判定ではなく、更にカラー原稿として用いられている色相の出現頻度を参照することで、単一色で再現されているカラー原稿の判定が可能となる。このような、単色カラー原稿ではカラー原稿用のモノクロ処理を用いることで、モノクロ出力を行った場合でも、図１８や図１９に示すように視認性を低下する事無く良好なモノクロ再現が可能である。また、カラー出力を行わないので、トナーを不要に消費する事も無い。
【００７５】
図１８によれば、かぶりやつぶれの無い画像を実現できることが明らかである。すなわち、図１８（ａ）に示されるカラーの元画像が従来の画像処理装置によると、図１８（ｂ）に示されるように、クリアに印刷されないが、上述の実施例の画像処理装置によれば、図１８（ｃ）のようにクリアに印刷される。
【００７６】
（実施の形態２）
次に、実施の形態２として、ＣＣＤラインセンサ（画像読取部、画像読取手段）を図２０に示すような４ラインセンサを用いた場合について説明する。スキャナ部１２０ではラインセンサ以外は同じ構成であり、プリンタ部１３０も同じ構成である。
【００７７】
図２０は受光面に色フィルタを配置しないラインセンサＫと、受光面に青色、緑色、赤色（以下、それぞれＢ、Ｇ、Ｒと記す）の色フィルタをそれぞれ配置した３つのラインセンサ（ラインセンサＢと、ラインセンサＧと、ラインセンサＲ）の合わせて４つのラインセンサからなる４ラインＣＣＤセンサの概略構成図を示す。
【００７８】
ラインセンサＫ、Ｂ、Ｇ、Ｒ部はフォトダイオードアレイからなり、光電変換動作が行われる。４ラインＣＣＤセンサから出力された信号はアナログ処理等がなされ、またシェーディング補正やＬｏｇ変換などの処理が行われ、図２１に示す画像処理部に入力される。
【００７９】
図２１は実施の形態２における画像処理部（画像処理装置に対応）の構成を示すブロック図である。この画像処理部では、入力されたＫ信号を用いてモノクロ原稿用処理をモノクロ原稿用処理部（第２モノクロ処理部）７３Ａが行い、また同時に入力されるＲＧＢ信号を用いて、カラー原稿用モノクロ処理部（第１モノクロ処理部）７４Ａが単色カラー原稿用処理（カラー原稿用モノクロ処理）を行う。それぞれの処理が行われたモノクロ２値画像はＰＭ７１Ａに同時に格納される。
【００８０】
ＲＧＢ信号はカラー画素判定部７２Ａにも入力され、１ページ毎にカラー画素数をカウントし、カラー画素数をＣＰＵ７５Ａに出力する。ＣＰＵ７５Ａ（選択部、選択手段）では、カラー画素数を所定の閾値と比較して多色カラー原稿であるか、単色カラー原稿であるか、モノクロ原稿であるかの判定を行い、ＰＭ７１Ａに同時に格納されたカラー（単色及び多色カラー）原稿用の画像データとモノクロ原稿用の画像データのいずれかを選択してセレクタ７６Ａにおいて選択してプリンタ部１３０に出力する。
【００８１】
このような構成を用いることで、ＰＭ７１Ａに一旦モノクロ原稿と判定された場合の画像データと、単色カラー原稿と判定された場合のモノクロ画像データを格納することができる。なお、多色カラー原稿と判定された場合は、ＰＭ７１に格納された多色カラーデータを用いてカラー処理部７７Ａが画像処理を行う。
【００８２】
このような構成をとることにより、ＣＰＵ７５ＡはＰＭ７１Ａに格納されたデータを読み出し、コントロールパネルに画像を表示することが可能となり、ユーザが紙に出力する前に仕上がりを確認することができる。仕上がりを確認した後、ユーザは出力するモードをモノクロ出力、単色カラー原稿用モノクロ出力、多色カラー出力の３通りから所望の出力画像を選択することができる。ユーザの選択結果とＣＰＵ７５Ａでの判定結果が不一致の場合には、例えばユーザの選択結果を優先して画像出力を行うようにすることができる。この構成により、カラー原稿をモノクロ出力又はカラー出力した場合の仕上がりをユーザが印刷前に確認することが可能となり、ミスコピーを防止することができる。
【００８３】
なお、上述の特許文献１においては、４列のラインセンサを用いた読取装置については述べられているが、カラー信号を用いたモノクロ信号の補正は行なっていない。また、特許文献２においては、下地除去方法を開示しているが、ＲＧＢ信号に対して濃度補正を行なう構成であって、本発明の技術とは異なるものである。
【００８４】
本発明を特定の態様により詳細に説明したが、本発明の精神および範囲を逸脱しないかぎり、様々な変更および改質がなされ得ることは、当業者には自明であろう。
【図面の簡単な説明】
【００８５】
【図１】本発明の実施の形態における画像読取装置の概略構成を示す側面図である。
【図２】図１の画像読取装置のラインセンサの構成を説明するための図である。
【図３】図２で示されるラインセンサの駆動を説明するためのタイムチャートである。
【図４】図２で示されるラインセンサＲ，Ｇ，Ｂの入射光波長に対する相対感度を示すグラフである。
【図５】図２のラインセンサＲ，Ｇ，Ｂからの出力信号のタイミングを説明するためのタイムチャートである。
【図６】キセノン光源の分光分布特性を示すグラフである。
【図７】（ａ）は、ＣＣＤラインセンサの出力信号を処理するアナログ処理回路を示すブロック図、（ｂ）は、（ａ）の回路による処理を説明するためのタイムチャートである。
【図８】図１において示されるＣＣＤセンサ基板および制御基板を詳細に示すブロック図である。
【図９】本発明の実施の形態におけるデジタル複写装置を示す構成図である。
【図１０】図９で示された複写装置のシステム全体を示すブロック図である。
【図１１】複写装置が単独で動作しているところを説明するためのブロック図である。
【図１２】ネットワークスキャナとして、スキャナ部で読み取った画像情報をシステム制御部を介するネットワーク接続でコンピュータに画像情報を出力する状態を説明するためのブロック図である。
【図１３】図９で示された画像処理部の構成を示すブロック図である。
【図１４】画像処理部のＣＰＵで行われる原稿判定処理を示すフローチャートである。
【図１５】図１３で示されたカラー原稿用モノクロ処理部の構成を示すブロック図である。
【図１６】図１５で示された色相判定処理部の構成を示すブロック図である。
【図１７】色相を判定するのに用いられる色相円板を示す図である。
【図１８】（ａ）は、画像処理のために読み取られるカラーの元画像を示す図、（ｂ）は、従来の画像処理によって印刷された結果を示す図、（ｃ）は、本発明の実施の形態による画像処理によって印刷された結果を示す図である。
【図１９】本実施の形態の効果を示す図である。
【図２０】本発明の実施の形態２における４ラインＣＣＤセンサの概略構成を示すブロック図である。
【図２１】本発明の実施の形態２における画像処理部の構成を示すブロック図である。
【符号の説明】
【００８６】
１２０  画像読取装置、ｏｒｇ  原稿、４４  原稿台ガラス、１５  カバー、１  光源、３  第１ミラー、５  第２ミラー、６  第３ミラー、８  集光レンズ、１０  ＣＣＤセンサ基板、９  ＣＣＤラインセンサ、７１  ページメモリ、７２  カラー画素判定部、７３  モノクロ原稿用処理部、７４  カラー原稿用モノクロ処理部、７７  カラー処理部、７６  セレクタ、１３０  プリンタ部、７５  ＣＰＵ。
【図１】
2008193680.tif 000004
【図２】
2008193680.tif 000005
【図３】
2008193680.tif 000006
【図４】
2008193680.tif 000007
【図５】
2008193680.tif 000008
【図６】
2008193680.tif 000009
【図７】
2008193680.tif 000010
【図８】
2008193680.tif 000011
【図９】
2008193680.tif 000012
【図１０】
2008193680.tif 000013
【図１１】
2008193680.tif 000014
【図１２】
2008193680.tif 000015
【図１３】
2008193680.tif 000016
【図１４】
2008193680.tif 000017
【図１５】
2008193680.tif 000018
【図１６】
2008193680.tif 000019
【図１７】
2008193680.tif 000020
【図１８】
2008193680.tif 000021
【図１９】
2008193680.tif 000022
【図２０】
2008193680.tif 000023
【図２１】
2008193680.tif 000024